(57)【要約】【課題】従来の昇圧装置ではグランド端子と板状端子とが配線基板を介して電気的に接続される構成を採用しているので、板状端子の製造コストが必要となる。また、板状端子およびグランド端子は共に配線基板にハンダ付けされるが、そのハンダ付け部分でクラックなどの不都合が発生する可能性が生じる。【解決手段】昇圧トランスは樹脂製のボビンを有しており、グランド端子はこのボビンに固定された針金状の線材で構成されており、この線材で構成されたグランド端子をケースの内側から、ケースの外面に形成された固定座の上面まで延出させる。【選択図】  図２
2019196849.tif 000002
【特許請求の範囲】
【請求項１】
昇圧トランスを内蔵するケースを有し、この昇圧トランスの１対の出力端子のうちの一方をグランド端子として、そのグランド端子を上記ケースの外側に電気的に導出し、その導出された部分を、上記ケースが固定される位置の近傍に設けられた金属製のグランド部に接続する昇圧装置において、上記昇圧トランスは樹脂製のボビンを有しており、上記グランド端子はこのボビンに固定された針金状の線材で構成されており、この線材で構成されたグランド端子をケースの内側からケースの外側まで延出させ、この外部に延出したグランド端子を上記グランド部に接続することを特徴とする昇圧装置。
【請求項２】
上記ケースの外側には固定用の金属製のビスが取り付けられる固定座が設けられており、上記グランド端子はこの固定座の上面まで延出され、上記ビスを上記グランド部に対してねじ止めする際に、この固定座と共にグランド端子をグランド部に対して共締めすることによって、ビスを介してグランド端子をグランド部に対して電気的に接続することを特徴とする請求項１に記載の昇圧装置。
【請求項３】
上記固定座とは別途に、ケースの回り止め用の突起をケースの外側に形成したことを特徴とする請求項２に記載の昇圧装置。
【請求項４】
上記ケースは一方向に開口しており、この開口の方向を、上記固定座と上記突起とを含む固定面に対して平行な方向に一致させたことを特徴とする請求項３に記載の昇圧装置。、
【請求項５】
上記昇圧トランスが上記開口からケース内に収納された状態で開口が樹脂で封止されると共に、上記グランド端子がこの封止した樹脂を通って開口から外部に突出することを特徴とする請求項４に記載の昇圧装置。
【請求項６】
上記ケースを上記グランド部に取り付けた状態で上記グランド端子の延出した部分の近傍に雌ねじ部を形成し、この雌ねじ部に螺合する金属製のネジの頭部でグランド端子をグランド部に対して押接させることを特徴とする請求項１に記載の昇圧装置。
【請求項７】
上記ケースを上記グランド部に取り付けた状態で上記グランド端子の延出した部分が係合する係合部を上記グランド部に形成し、この係合部を介してグランド端子をグランド部に接続することを特徴とする請求項１に記載の昇圧装置。
【発明の詳細な説明】
【技術分野】
【０００１】
本発明は、ガスバーナの近傍に設置された点火プラグに供給する高電圧電力を発生させる昇圧装置に関する。
【背景技術】
【０００２】
ガスバーナに点火するため、ガスバーナの近傍には点火プラグと呼ばれる部品が配設されており、この点火プラグとガスバーナ本体との間に高電圧を印加させることにより点火プラグとガスバーナとの間に火花放電を発生させ、ガスバーナから噴出しているガスに点火を行うものが知られている。
【０００３】
この点火プラグに高電圧電力を供給するために昇圧装置が用いられる。乾電池を電力とする場合には、乾電池からの低電圧の直流電力を発振させる発振回路部と、発振回路部で発振された低電圧電力を１次側コイルに流し、２次側コイルから高電圧電力を出力する昇圧トランスとが１個のケースに収納された昇圧装置が知られている。
【０００４】
２次側コイルの出力端子は１対であるので、一方をグランド端子としてガス器具の筐体に接続し、他方を上記点火プラグに接続するように構成されている。そして、グランド端子を筐体に接続するため、ケースを筐体にねじ止めする固定座を設け、その固定座の上面に金属製の板状端子を取り付け、その板状端子を上記グランド端子に電気的に接続することによって、固定座に取り付けられるネジを介してグランド端子を板状端子を介して筐体に接続するように構成されている（例えば、特許文献１および非特許文献１参照）。
【先行技術文献】
【特許文献】
【０００５】
【特許文献１】特開昭５８-１１３２１号公報（アース端子４、第１図）
【非特許文献】
【０００６】
【非特許文献１】アール・ビー・コントロールズ株式会社、ホームページ、製品情報、高電圧ユニット、ガス用マルチイグナイターの欄（平成３０年４月２０日検索）、インターネット（http://www.rbcontrols.co.jp/product/voltage/）
【発明の概要】
【発明が解決しようとする課題】
【０００７】
図６から図８を参照して、１００は従来の昇圧装置であり、樹脂製のケース１０１の内部に昇圧トランス１２０を備えている。また、この昇圧トランス１２０は発振回路が実装された配線基板１３０に接続されており、入力部１０２に接続された図示しないハーネスを介して供給される低電圧の直流電力を発振回路で発振させて昇圧トランス１２０で所定の高電圧の交流電力に昇圧するように構成されている。
【０００８】
発振回路から出力される低電圧のパルス電力は配線基板１３０のランド１３３から昇圧トランス１２０の１次側コイルに供給され、昇圧された出力は２次コイルから出力される。２次コイルには１対の端子が設けられており、一方の端子が図外の点火プラグに接続される高圧端子１２１であり、他方のグランド端子１２２は配線基板１３０のランド１３２から板状端子１３１に接続されている。
【０００９】
高圧端子１２１は高圧線が挿入される筒状部１１１内に配設され、板状端子１３１は昇圧装置１００をネジによって固定する固定座１１２の上面に配設されている。固定座１１２の他に第２の固定座１１３が設けられており、ケース１０１の開口１０３は両固定座１１２，１１３をねじ止めすると固定面となる。なお、この開口１０３は樹脂１４０によって封止されている。
【００１０】
上述の構成による従来の昇圧装置１００ではグランド端子１２２と板状端子１３１とが配線基板１３０を介して電気的に接続される構成を採用しているので、板状端子１３１の製造コストが必要となる。また、板状端子１３１およびグランド端子１２２は共に配線基板１３０にハンダ付けされるが、そのハンダ付け部分でクラックなどの不都合が発生する可能性が生じる。
【００１１】
そこで本発明は、上記の問題点に鑑み、板状端子を必要とせず、かつグランド端子に関してハンダ付けの必要がない昇圧装置を提供することを課題とする。
【課題を解決するための手段】
【００１２】
上記課題を解決するために本発明による昇圧装置は、外側に固定用のビスが取り付けられる固定座が設けられ、昇圧トランスを内蔵するケースを有し、この昇圧トランスの１対の出力端子のうちの一方をグランド端子として、そのグランド端子を上記ケースの外側に電気的に導出し、その導出された部分を上記固定座の上面に位置させて、固定座にビスを取り付けた状態で上記導出された部分を固定座とともにビスによって共締めするように構成された昇圧装置において、上記昇圧トランスは樹脂製のボビンを有しており、上記グランド端子はこのボビンに固定された針金状の線材で構成されており、この線材で構成されたグランド端子をケースの内側から上記固定座の上面まで延出させたことを特徴とする。
【００１３】
上記構成によれば、昇圧トランスのグランド端子を直接固定座の上面に導出することによって、板状端子自体を用いる必要性をなくし、かつ必然的にハンダ付けも不要とした。
【００１４】
固定座が１つでは昇圧装置が固定座を中心に回転するおそれがあるので、上記固定座とは別途に、ケースの回り止め用の突起をケースの外側に形成することが望ましい。
【００１５】
なお、上記ケースは一方向に開口しており、この開口の方向を、上記固定座と上記突起とを含む固定面に対して平行な方向に一致させることによってケースに対する昇圧トランスの収納とグランド端子の導出を容易にすることができる。
【００１６】
グランド端子はケースを突き抜けるようにして外部に導出してもよいが、上記昇圧トランスが上記開口からケース内に収納された状態で開口が樹脂で封止されると共に、上記グランド端子がこの封止した樹脂を通って開口から外部に突出するようにしてもよい。
【発明の効果】
【００１７】
以上の説明から明らかなように、本発明は、従来用いられていた板状端子を用いる必要がないので、部品点数を削減することができ、かつハンダ付けの個所を少なくすることによって信頼性を増すことができる。
【図面の簡単な説明】
【００１８】
【図１】本発明の一実施の形態の構成を示す図
【図２】II-II断面図
【図３】第２の実施の形態を示す斜視図
【図４】第３の実施の形態を示す部分斜視図
【図５】第４の実施の形態を示す部分斜視図
【図６】従来の昇圧装置を示す斜視図
【図７】VII-VII断面図
【図８】従来の配線基板の形状を示す平面図
【発明を実施するための形態】
【００１９】
図１および図２を参照して、１は本発明による昇圧装置の一例である。２は樹脂製のケースであり、内部に昇圧トランス４を備えている。この昇圧トランス４の２次コイルの一対の出力端子のうち、高圧端子４１はケース２に形成した筒状部２１内に配置されており、他方のグランド端子３はケース２の底部を突き抜けて外部に露出している。
【００２０】
ケース２にはケース２をビスで固定するための固定座２２と、この固定座２２を中心にしてケース２が回転することを防止するための回り止め用の突起２３とが形成されている。そして、上記グランド端子３はこの固定座２２の正面に位置するように配置されている。従って、固定座２２にビスを取り付けると、そのビスはグランド端子３と固定座２２とを供締めして、そのビスを介してグランド端子３は図外の取付ベースに接続されることになる。
【００２１】
なお、固定座２２と突起２３とによって固定面２Ａが規定されるが、ケース２の開口２Ｂはその固定面２Ａに対して平行な方向に開口するように設定されており、そのため、開口２Ｂから昇圧トランス４を挿入すると、その挿入方向にグランド端子３が突出することになり、昇圧トランス４のケース２に対する組み付け作業が容易になる。なお、ケース２内に昇圧トランスや配線基板を組み込んだ後は開口２Ｂは樹脂１１によって封止される。なお、２０は入力端子が取り付けられる入力部である。
【００２２】
ところで、上記実施の形態では、グランド端子３をケース２を突き抜けるように設けたが、昇圧トランス４からグランド端子３を挿入方向前方に突出させるのではなく、逆に挿入方向後方に突出させることによって、図３に示すように開口２Ｂからグランド端子３を突出させ、グランド端子３を樹脂１１によって封止するように構成してもよい。
【００２３】
また、上記各実施の形態では、ケース２に固定座２２を設け、グランド端子３をこの固定座２２の上面に位置するように構成したが、グランド端子３は必ずしも固定座２２の上面に位置させる必要はない。
【００２４】
例えば、図４に示すように、昇圧装置１が取り付けられる位置の近傍に設けられた金属製のグランド部Ｇに周囲より１段上がった接続座Ｂを形成し、この接続座Ｂにビス穴Ｓを設けて、このビス穴Ｓに螺合するビスの頭部でグランド端子３を接続座Ｂに押接させ、グランド端子３をグランド部Ｇに対して電気的に接続するようにしてもよい。
【００２５】
更には、図５に示すように、金属製のグランド部Ｇに接続部Ｔを切り起こし、その接続部Ｔに形成したクロス状の接続穴Ｃにグランド端子３を挿入することによってグランド端子３をグランド部Ｇに接続するようにしてもよい。
【００２６】
なお、本発明は上記した形態に限定されるものではなく、本発明の要旨を逸脱しない範囲内において種々の変更を加えてもかまわない。
【符号の説明】
【００２７】
１  昇圧装置
２  ケース
３  グランド端子
４  昇圧トランス
２２  固定座
【図１】
2019196849.tif 000003
【図２】
2019196849.tif 000004
【図３】
2019196849.tif 000005
【図４】
2019196849.tif 000006
【図５】
2019196849.tif 000007
【図６】
2019196849.tif 000008
【図７】
2019196849.tif 000009
【図８】
2019196849.tif 000010